【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
第１のユーザのためのホログラフィック・ディスプレイと、第２のユーザのためのホログラフィック・ディスプレイとを含む通信システムであって、
前記第１のユーザと前記第２のユーザとの間で、インターネット上でインターネット・プロトコルを介してリアルタイムに音声とホログラフィック画像を通信することを可能とし、
各ホログラフィック・ディスプレイは各ユーザにより使用され、
各ホログラフィック・ディスプレイは、三次元シーン（３Ｄ−Ｓ）のホログラフィック再構成を生成するためのものであって、
各ホログラフィック・ディスプレイは、光源、空間光変調器（ＳＬＭ）及び前記ＳＬＭを照射する光学系とを備え、
前記３Ｄ−Ｓの単一オブジェクト・ポイントのそれぞれの再構成には、照射された前記ＳＬＭのサブセットとしてのサブホログラムのみが必要となる
ことを特徴とする通信システム。
【請求項２】
シーンの各点の情報は、ホログラム全体に渡って分散されることはなく、サブホログラムと呼ばれる特定の限定された領域に含まれることを特徴とする、請求項１に記載の通信システム。
【請求項３】
オブジェクトポイント毎にシーンの再構成全体に対するサブホログラムの寄与がルックアップテーブルから取得され、それらのサブホログラムがシーン全体の再構成に対する全体のホログラムを形成するように蓄積される、請求項１又は２に記載の通信システム。
【請求項４】
追加の補正関数がサブホログラム又は全体のホログラムに適用されることを特徴とする請求項１乃至３のいずれか１項に記載の通信システム。
【請求項５】
前記インターネットプロトコルを介した前記音声及びホログラフィック画像は、インターネットプロトコルを介した音声及びホログラフィック動画であることを特徴とする請求項１乃至４のいずれか１項に記載の通信システム。
【請求項６】
前記ホログラフィック・ディスプレイは、仮想観察者ウィンドウ（ＶＯＷ）を、観察者、又は、観察者の眼の位置に配置するように適合されていることを特徴とする請求項１乃至５のいずれか１項に記載の通信システム。
【請求項７】
前記ホログラフィック・ディスプレイの光源が、発光ダイオードであることを特徴とする請求項１乃至６のいずれか１項に記載の通信システム。
【請求項８】
ホログラフィック画像計算が実行されることを特徴とする請求項１乃至７のいずれか１項に記載の通信システム。
【請求項９】
前記ホログラフィック・ディスプレイは、基板上に画素を有する空間光変調器（ＳＬＭ）を含み、
前記ＳＬＭの画素のホログラム符号化データを判定するために実行される計算は、前記ＳＬＭの画素と同一の基板上にある回路を利用して実行されることを特徴とする請求項１乃至８のいずれか１項に記載の通信システム。
【請求項１０】
前記計算は、フーリエ変換又はフレネル変換の計算を含まないことを特徴とする請求項９に記載の通信システム。
【請求項１１】
前記ホログラム符号化データは、前記画素により専有される空間の外側で計算され、
前記ホログラム符号化データはデータ圧縮技術を使用して圧縮されて、前記画素の基板上の回路に送信され、
前記回路は受信した圧縮データを伸張する機能を実行する
ことを特徴とする請求項９または１０に記載の通信システム。
【請求項１２】
グラフィックス・サブシステムの３Ｄレンダリング・パイプラインが、ホログラフィック変換及び符号化のための追加の処理部を含むことを特徴とする請求項１乃至１１のいずれか１項に記載の通信システム。
【請求項１３】
３次元空間の点についてのシーケンシャルなホログラフィック変換は、ホログラフィック計算パイプラインによりグラフィックスカードの３Ｄパイプラインを拡張することで実行されることを特徴とする請求項１乃至１２のいずれか１項に記載の通信システム。
【請求項１４】
前記ホログラフィック計算において使用される実空間画像データは、連続する実空間画像フレーム間の差分であり、
ホログラフィック・ディスプレイ・データは、サブホログラム差分データ及びディスプレイ記憶位置データの形式でホログラフィック・ディスプレイのクラスタに送出される
ことを特徴とする請求項８に記載の通信システム。
【請求項１５】
ピア・ツー・ピアサービス又は通信が提供されることを特徴とする請求項１乃至１４のいずれか１項に記載の通信システム。
【請求項１６】
ファイル共有サービス又は通信が提供されることを特徴とする請求項１乃至１５のいずれか１項に記載の通信システム。
【請求項１７】
ホログラフィック・ディスプレイが接続されているグローバル・ネットワークを介したインスタント・メッセージ・サービス又は通信が提供されることを特徴とする請求項１乃至１６のいずれか１項に記載の通信システム。
【請求項１８】
通信サービス又は通信が、ホログラフィック・ディスプレイが接続されているコンピュータ・ネットワークを介して提供されることを特徴とする請求項１乃至１７のいずれか１項に記載の通信システム。
【請求項１９】
ファイル共有サービスまたは通信が、ホログラフィック・ディスプレイが接続されているコンピュータ・ネットワークを介して提供されることを特徴とする請求項１乃至１８のいずれか１項に記載の通信システム。
【請求項２０】
インスタント・メッセージ・サービスまたは通信が、ホログラフィック・ディスプレイが接続されているコンピュータ・ネットワークを介して提供されることを特徴とする請求項１乃至１９のいずれか１項に記載の通信システム。
【請求項２１】
加入者に、インターネットプロトコルを介した音声及びホログラフィック画像のサービス又は通信の利用を可能にするコンピュータ・ソフトウェアの、オンラインで、ダウンロード不可能な、一時利用を提供することを特徴とする請求項１乃至２０のいずれか１項に記載の通信システム。
【請求項２２】
加入者に、インターネットプロトコルを介した音声及びホログラフィック画像のサービス又は通信の利用を可能にする、ダウンロード用のオンラインソフトウェアを提供することを特徴とする請求項１乃至２１のいずれか１項に記載の通信システム。
【請求項２３】
ホログラフィック・ディスプレイ・データへアクセスするためのドメイン及びドメイン・データベース・システムへのアクセス権を提供することを特徴とする請求項１乃至２２のいずれか１項に記載の通信システム。
【請求項２４】
３次元シーン（３Ｄ−Ｓ）のホログラフィック再構成を生成するためのホログラフィック・ディスプレイであって、
光源、空間光変調器（ＳＬＭ）及び前記ＳＬＭを照射する光学系とを備え、
前記３Ｄ−Ｓの単一オブジェクト・ポイントの再構成には、照射された前記ＳＬＭのサブセットとしてのサブホログラムのみが必要となるように適合され、
前記ホログラフィック・ディスプレイのユーザと、別のホログラフィック・ディスプレイを使用する別のユーザとの間で、請求項１乃至２３のいずれか１項に記載の通信システムを介した通信を提供するように適合されていることを特徴とするホログラフィック・ディスプレイ。
【請求項２５】
前記空間光変調器（ＳＬＭ）は、複数画素を有し、
少なくともいくつかのホログラフィック計算は、画素マトリクスの空間内にある回路を使用し、前記ＳＬＭの画素のホログラム符号化データの判定するために実行されることを特徴とする請求項２４に記載のホログラフィック・ディスプレイ。